【事件の表示】
　特許第５７６７１４４号発明「経路検索システムを用いた混雑度予測装置および混雑度予測プログラム」の特許異議申立事件について、次のとおり決定する。
【結　論】
　特許第５７６７１４４号の特許請求の範囲を訂正請求書に添付された特許請求の範囲のとおり、訂正後の請求項〔４ないし７〕、９について訂正することを認める。
　特許第５７６７１４４号の請求項１ないし３、５ないし８に係る特許を維持する。
　特許第５７６７１４４号の請求項４、９に係る特許についての申し立てを却下する。
【理　由】
１．手続の経緯
　特許第５７６７１４４号の請求項１ないし９に係る特許についての出願は、平成２４年３月１２日に特許出願され、平成２７年６月２６日にその特許権の設定登録がされ、その後、その特許について、特許異議申立人特許業務法人にじいろ特許事務所により特許異議の申立てがなされ、平成２８年４月２２日付けで取消理由が通知され、その指定期間内である平成２８年７月４日に意見書の提出及び訂正請求があったものである。
２．訂正の適否についての判断
（１）訂正の内容
　本件訂正請求による訂正の内容は以下のとおりである。
　訂正事項１
　　請求項４を削除する。
　訂正事項２
　　請求項５ないし７の引用先を「請求項１又は４」から「請求項１」に変更する。
　訂正事項３
　請求項９を削除する。
（２）訂正の目的の適否、一群の請求項、新規事項の有無、及び特許請求の範囲の拡張・変更の存否
　訂正事項１，３について
　請求項の削除を目的とする訂正であって、特許請求の範囲の減縮であるから、新規事項の追加に該当せず、実質上特許請求の範囲を拡張し、又は変更するものでもない。
　訂正事項２
　請求項４の削除に伴う引用請求項の変更であって、特許請求の範囲の減縮であるから、新規事項の追加に該当せず、実質上特許請求の範囲を拡張し、又は変更するものでもない。
（３）むすび
　以上のとおりであるから、本件訂正請求による訂正は特許法第１２０条の５第２項第１号に掲げる事項を目的とするものであり、かつ、同条第４項、及び、同条第９項において準用する同法第１２６条第４項から第６項までの規定に適合するので、訂正後の請求項〔４ないし７〕、９について訂正を認める。
３．取消理由についての判断
（１）本件発明
　本件訂正請求により訂正された訂正請求項１ないし９に係る発明（以下「本件発明１ないし９」という。）は、その特許請求の範囲の請求項１ないし９に記載された次の事項により特定されるとおりのものである。
　「　　【請求項１】
　ネットワークに接続されたクライアント端末からの経路検索要求を受信して、その要求に応じた経路検索を実行して前記クライアント端末にその乗り換え案内を送信する経路検索システムであって、
　少なくとも前記経路検索要求の検索条件のログ情報を記憶するログ情報記憶手段と、
　前記ログ情報から作成した所定期間内の乗り換え案内結果の駅間利用状況データから混雑度を予測する混雑度予測手段と、
を有する経路検索システムを用いた混雑度予測装置。
　　【請求項２】
　前記乗り換え案内に前記混雑度を示すメッセージを付加することを特徴とする請求項１に記載の経路検索システムを用いた混雑度予測装置。
　　【請求項３】
　前記ログ情報記憶手段を含む第１のサーバ装置と、
　前記混雑度予測手段を含む第２のサーバ装置と、
を有し、
　前記第２のサーバ装置とは別に、前記ログ情報から乗り換え案内を作成する第３のサーバを有する請求項１に記載の経路検索システムを用いた混雑度予測装置。
　　【請求項４】
　　（削除）
　　【請求項５】
　前記駅間利用状況データは、所定時間単位に、経路検索ルート間の駅毎に検索回数をカウントした値を示していることを特徴とする請求項１に記載の経路検索システムを用いた混雑度予測装置。
　　【請求項６】
　前記混雑度を示すメッセージは、検索対象日の前記駅間利用状況データと過去の同一曜日又は同一日の前記駅間利用状況データと比較することで判断したものであることを特徴とする請求項１に記載の経路検索システムを用いた混雑度予測装置。
　　【請求項７】
　前記混雑度を示すメッセージは、検索対象日の前記駅間利用状況データと過去の所定期間の前記駅間利用状況データの平均値とを比較することで判断したものであることを特徴とする請求項１に記載の経路検索システムを用いた混雑度予測装置。
　　【請求項８】
　ネットワークに接続されたクライアント端末からの経路検索要求を受信して、その要求に応じた経路検索を実行して前記クライアント端末にその乗り換え案内を送信する経路検索システムであって、少なくとも前記経路検索要求の検索条件のログ情報を記憶するログ情報記憶手段に接続されるサーバに搭載され、
　少なくとも前記経路検索要求の検索条件のログ情報を受信する機能と、
　前記ログ情報から所定期間内の乗り換え案内を作成し、作成した乗り換え案内結果の駅間利用状況データから混雑度を予測する機能と、
をサーバコンピュータに実現する混雑度予測プログラム。
　　【請求項９】
　　（削除）」
（２）取消理由の概要
　訂正前の請求項１ないし９に係る特許に対して平成２８年４月２２日付けで特許権者に通知した取消理由は、要旨は次のとおりである。
　請求項４及び９に係る特許は同法第３６条第６項第１号に規定する要件を満たしていない特許出願に対してなされたものであり、取り消されるべきものである。
（３）判断
　特許法第３６条第６項第１号について
　請求項４及び９を削除したため、記載不備は解消された。
４．特許異議申立ての理由について
（１）特許法第２９条第２項について
ア．甲各号証の記載
　甲第１号証である「特開２００８−２７３２７５号公報」には、「路線検索による乗り換え案内」が記載されている。
　甲第２号証「特開２００３−１３９５５０号公報」には、「カーナビによるルート検索結果から所定範囲内の通行車両台数を推定するシステム」が記載されている。
　甲第３号証について
　甲第３号証である「特開２００４−１９２４２５号公報」には、過去のデータや混雑度を予測することが記載されている。
イ．対比・判断
（ア）請求項１に係る発明について
　甲第１号証における混雑度は、過去の実測値から計算されていて、乗り換え案内の検索結果に基づくものではない。
　甲第２号証は、カーナビによるルート検索結果から所定範囲内の通行車両台数を推定するものであり、乗り換え案内とは無関係な技術であるから、甲第２号証の記載事項を甲第１号証の発明に適用することはできない。
　したがって、本件請求項１に係る発明は、上記甲第１，２号証から当業者が容易になしえるものではない。
（イ）請求項２、３，５−８に係る発明について
　請求項２、３，５−７は、請求項１に係る発明をさらに減縮したものであり、請求項８は、請求項１に係る発明をプログラムとして請求するものであるから上記請求項１に係る発明の同様の理由により、甲第１〜３号証の記載から当業者が容易になしえるものではない。
（２）特許法第３６条第６項第２号について
　請求項４及び９に係る発明は明確でないとの申立てについて、上記訂正請求により請求項４及び９が削除されたため、対象となる請求項が存在しない。
５．むすび
　以上のとおりであるから、特許異議の申立ての理由及び証拠によっては、本件請求項１ないし３、５ないし８に係る特許を取り消すことはできない。
　また、他に本件請求項１ないし３、５ないし８に係る特許を取り消すべき理由を発見しない。
　よって、結論のとおり決定する。
【異議決定日】
平成２８年７月２２日（２０１６．７．２２）
【訂正の要旨】
審決（決定）の【理由】欄参照。
（５７）【特許請求の範囲】
　【請求項１】
　ネットワークに接続されたクライアント端末からの経路検索要求を受信して、その要求に応じた経路検索を実行して前記クライアント端末にその乗り換え案内を送信する経路検索システムであって、
　少なくとも前記経路検索要求の検索条件のログ情報を記憶するログ情報記憶手段と、
　前記ログ情報から作成した所定期間内の乗り換え案内結果の駅間利用状況データから混雑度を予測する混雑度予測手段と、
を有する経路検索システムを用いた混雑度予測装置。
　【請求項２】
　前記乗り換え案内に前記混雑度を示すメッセージを付加することを特徴とする請求項１に記載の経路検索システムを用いた混雑度予測装置。
　【請求項３】
　前記ログ情報記憶手段を含む第１のサーバ装置と、
　前記混雑度予測手段を含む第２のサーバ装置と、
を有し、
　前記第２のサーバ装置とは別に、前記ログ情報から乗り換え案内を作成する第３のサーバを有する請求項１に記載の経路検索システムを用いた混雑度予測装置。
　【請求項４】　　　
（削除）
　【請求項５】
　前記駅間利用状況データは、所定時間単位に、経路検索ルート間の駅毎に検索回数をカウントした値を示していることを特徴とする請求項
１に
　【請求項６】
　前記混雑度を示すメッセージは、検索対象日の前記駅間利用状況データと過去の同一曜日又は同一日の前記駅間利用状況データと比較することで判断したものであることを特徴とする請求項
１に
　【請求項７】
　前記混雑度を示すメッセージは、検索対象日の前記駅間利用状況データと過去の所定期間の前記駅間利用状況データの平均値とを比較することで判断したものであることを特徴とする請求項
１に
　【請求項８】
　ネットワークに接続されたクライアント端末からの経路検索要求を受信して、その要求に応じた経路検索を実行して前記クライアント端末にその乗り換え案内を送信する経路検索システムであって、少なくとも前記経路検索要求の検索条件のログ情報を記憶するログ情報記憶手段に接続されるサーバに搭載され、
　少なくとも前記経路検索要求の検索条件のログ情報を受信する機能と、
　前記ログ情報から所定期間内の乗り換え案内を作成し、作成した乗り換え案内結果の駅間利用状況データから混雑度を予測する機能と、
をサーバコンピュータに実現する混雑度予測プログラム。
　【請求項９】　　　
（削除）